(57)【特許請求の範囲】
【請求項１】
充電器に着脱自在に設置され、前記充電器により支持される携帯端末機であって、
ディスプレイパネルと、
該ディスプレイパネルを前面側に露出させた状態で収容する筐体と、
前記筐体の長手側面側および短手側面側にそれぞれ配置され、前記充電器に対する携帯端末機の設置により前記充電器の充電コネクタに接触する外部露出型の充電端子と、
前記筐体の背面に凹設され、横置き状態で当該携帯端末機を前記充電器に設置する際に、前記充電器のガイド部に係合して短手方向にガイドされる一対の横置き用の被ガイド部と、
前記筐体の背面に凹設され、縦置き状態で当該携帯端末機を前記充電器に設置する際に、前記充電器のガイド部に係合して長手方向にガイドされる一対の縦置き用の被ガイド部と、
を備え、
前記長手側面側に配置された充電端子に対向する前記筺体の長手側面側に、記憶媒体挿入口を備え、
前記短手側面側に配置された充電端子に対向する前記筺体の短手側面側に、電源スイッチと発光部を備えていることを特徴とする携帯端末機。
【請求項２】
前記充電端子は、共通の前記充電コネクタに接触するように同一にそれぞれ構成されていることを特徴とする請求項１に記載の携帯端末機。
【請求項３】
前記充電端子は、前記長手側面の長手方向中央および前記短手側面の短手方向中央にそれぞれ配置されていることを特徴とする請求項１または請求項２に記載の携帯端末機。
【請求項４】
前記筐体に収容される二次電池を更に備え、
前記二次電池は、前記充電端子を配置した長手側面および前記短手側面の交線付近に配置されていることを特徴とする請求項１乃至請求項３のいずれかに１項に記載の携帯端末機。
【請求項５】
前記充電器に対する携帯端末機の設置の向きを判断する検知手段と、前記充電器に対する携帯端末機の設置の向きに応じて、前記ディスプレイパネルの表示内容を設定する表示設定手段とを更に備えていることを特徴とする請求項１乃至請求項４のいずれか１項に記載の携帯端末機。
【請求項６】
前記ディスプレイパネルは、表示機能および入力機能を有するタッチパネルであることを特徴とする請求項１乃至請求項５のいずれか１項に記載の携帯端末機。
【請求項７】
請求項１乃至請求項６のいずれか１項に記載の携帯端末機と、
前記携帯端末機を充電するための充電器であって、前記携帯端末機の複数の充電端子に共通して接触する充電コネクタと、前記携帯端末機を横置き状態および縦置き状態で支持する背面支持部を持つ支持構造と、前記背面支持部の前面に突出形成され、前記携帯端末機を当該充電器に設置する際に、前記携帯端末機の前記一対の横置き用の被ガイド部又は前記一対の縦置き用の被ガイド部をガイドする一対のガイド部と、を備えている充電器と、
から構成されていることを特徴とする携帯端末装置。
【発明の詳細な説明】
【技術分野】
【０００１】
本発明は、携帯端末機および携帯端末装置に関する。
【背景技術】
【０００２】
従来、図１２に示すように、ディスプレイ５１０と、ディスプレイ５１０を前面側に露出させた状態で収容する筐体５２０と、筐体５２０の短手（短辺）の側面に配置されたコネクタ５３０とを備えた閲覧端末装置５００が知られている（例えば、特許文献１参照。）。
【０００３】
この従来の閲覧端末装置５００は、図１２に示すように、充電時に、縦置き状態（すなわち、閲覧端末装置５００の長手方向を鉛直方向に一致させた状態）で支持され、閲覧端末装置５００のコネクタ５３０は、クレードル６００のコネクタ６２０に接触している。
【先行技術文献】
【特許文献】
【０００４】
【特許文献１】特開２０１０−８６１６５号公報
【発明の概要】
【発明が解決しようとする課題】
【０００５】
ところが、従来の閲覧端末装置５００は、筐体５２０の短手の側面に配置されたコネクタ５３０以外のコネクタを備えていないため、クレードル６００に対する充電時の姿勢として縦置き状態しか選択することができず、使用者の利用状況（確保可能な設置スペースや、表示内容に適したディスプレイの向き等）に応じて充電姿勢を任意に選択することができないという課題があった。
【０００６】
そこで、本発明は、従来の問題を解決するものであって、すなわち、本発明の目的は、使用者の利用状況に応じて充電姿勢を任意に選択することが可能な携帯端末機、充電器、および携帯端末装置を提供することである。
【課題を解決するための手段】
【０００７】
本発明の携帯端末機は、充電器に着脱自在に設置され、前記充電器により支持される携帯端末機であって、ディスプレイパネルと、該ディスプレイパネルを前面側に露出させた状態で収容する筐体と、前記筐体の長手側面側および短手側面側にそれぞれ配置され、前記充電器に対する携帯端末機の設置により前記充電器の充電コネクタに接触する外部露出型の充電端子と、前記筐体の背面に凹設され、横置き状態で当該携帯端末機を前記充電器に設置する際に、前記充電器のガイド部に係合して短手方向にガイドされる一対の横置き用の被ガイド部と、前記筐体の背面に凹設され、縦置き状態で当該携帯端末機を前記充電器に設置する際に、前記充電器のガイド部に係合して長手方向にガイドされる一対の縦置き用の被ガイド部と、を備え、前記長手側面側に配置された充電端子に対向する前記筺体の長手側面側に、記憶媒体挿入口を備え、前記短手側面側に配置された充電端子に対向する前記筺体の短手側面側に、電源スイッチと発光部を備えていることにより、前述した課題を解決したものである。
【０００９】
本発明の携帯端末装置は、携帯端末機と、該携帯端末機を支持しつつ充電する充電器とから構成され、前記携帯端末機は、ディスプレイパネルと、該ディスプレイパネルを前面側に露出させた状態で収容する筐体と、前記筐体の長手側面側および短手側面側にそれぞれ配置され、前記充電器に対する携帯端末機の設置により前記充電器の充電コネクタに接触する外部露出型の充電端子と、前記筐体の背面に凹設され、横置き状態で当該携帯端末機を前記充電器に設置する際に、前記充電器のガイド部に係合して短手方向にガイドされる一対の横置き用の被ガイド部と、前記筐体の背面に凹設され、縦置き状態で当該携帯端末機を前記充電器に設置する際に、前記充電器のガイド部に係合して長手方向にガイドされる一対の縦置き用の被ガイド部と、を備え、前記長手側面側に配置された充電端子に対向する前記筺体の長手側面側に、記憶媒体挿入口を備え、前記短手側面側に配置された充電端子に対向する前記筺体の短手側面側に、電源スイッチと発光部を備え、前記充電器は、前記携帯端末機の複数の充電端子に共通して接触する充電コネクタと、前記携帯端末機を横置き状態および縦置き状態で支持する背面支持部を持つ支持構造と、前記背面支持部の前面に突出形成され、前記携帯端末機を当該充電器に設置する際に、前記携帯端末機の前記一対の横置き用の被ガイド部又は前記一対の縦置き用の被ガイド部をガイドする一対のガイド部と、を備えていることにより、前述した課題を解決したものである。
【発明の効果】
【００１０】
本発明では、充電コネクタを長手側面側の充電端子に接触させた横置き状態と、充電コネクタを短手側面側の充電端子に接触させた縦置き状態の２つの充電姿勢を実現するため、確保可能な設置スペースやディスプレイパネルに表示させる表示内容等に応じて、縦置き状態と横置き状態を任意に選択することができる。
【図面の簡単な説明】
【００１１】
【図１】本発明の一実施例である携帯端末装置の携帯端末機を横置き状態で充電器に設置した状態を示す斜視図である。
【図２】携帯端末機を縦置き状態で充電器に設置した状態を示す斜視図である。
【図３】携帯端末機を前面側から見て示す平面図である。
【図４】携帯端末機を背面側から見て示す平面図である。
【図５】携帯端末機を長手側面から見て示す平面図である。
【図６】携帯端末機を短手側面から見て示す平面図である。
【図７】携帯端末機の制御部の構成を示すブロック図である。
【図８】充電器を示す斜視図である。
【図９】充電器を上方から見て示す平面図である。
【図１０】充電器を背面側から見て示す平面図である。
【図１１】集合充電器に複数の携帯端末機を設置した状態を示す斜視図である。
【図１２】従来の閲覧端末装置およびクレードルを示す斜視図である。
【発明を実施するための形態】
【００１２】
以下、本発明の一実施例である携帯端末装置を図面に基づいて説明する。
【実施例】
【００１３】
本発明の携帯端末装置は、携帯端末機１００と、充電器２００とから構成されている。
【００１４】
まず、携帯端末機１００は、例えば飲食店の客席テーブル上に配置され、顧客自身による商品注文等の入力操作を受け付けるセルフオーダ端末であって、図１および図２に示すように、充電器２００に着脱自在に設置（載置）され、充電器２００への設置時に充電器２００により起立状態で支持されるものである。
携帯端末機１００は、充電器２００への設置時および充電器２００からの取り外し時のいずれの場合であっても、その使用が可能であり、すなわち、ディスプレイパネル（タッチパネル）１１０による表示機能および入力機能は有効な状態である。
【００１５】
携帯端末機１００は、図３および図４等に示すように、ディスプレイパネル１１０と、筐体１２０と、横置き用の充電端子１３０と、縦置き用の充電端子１４０と、二次電池１５０と、電源スイッチ１６０と、発光部１７０と、記憶媒体挿入口１８０と、各部を制御する制御部１９０（図７参照）と、記憶部（図示しない）と、ネットワークインタフェース（図示しない）と、補助記憶装置（図示しない）とを備えている。
携帯端末機１００は、図３および図４等に示すように、前面側、もしくは背面側から見ると、概ね長方形の形状である。
これ以降、携帯端末機１００の外形の長辺を長手、長辺の側面を長手側面、携帯端末機１００の外形の短辺を短手、短辺の側面を短手側面と称することとする。
【００１６】
ディスプレイパネル１１０は、表示機能および入力機能を有するタッチパネルとして構成され、図１に示すように、筐体１２０の前面側に露出した状態で筐体１２０により収容されている。
【００１７】
筐体１２０は、制御部１９０、記憶部、ネットワークインターフェース、補助記憶装置等を構成する各電子部品（ＣＰＵ、ＲＯＭ、ＲＡＭ等）と、二次電池１５０とを内蔵している。
筐体１２０は、図３および図４に示すように、ディスプレイパネル１１０の四辺を前面側で覆うフレーム部１２１と、筐体１２０の背面に凹設され、横置き状態（図１に示す状態、携帯端末機１００の長手方向を水平方向に一致させた状態）で携帯端末機１００を充電器２００に設置する際に、充電器２００のガイド部２３１（図８参照）に係合して短手方向にガイドされる一対の横置き用の被ガイド部１２２と、筐体１２０の背面に凹設され、縦置き状態（図２に示す状態、携帯端末機１００の長手方向を鉛直方向に近い方向に一致させた状態）で携帯端末機１００を充電器２００に設置する際に、充電器２００のガイド部２３１（図８参照）に係合して長手方向にガイドされる一対の縦置き用の被ガイド部１２３とを有している。
【００１８】
横置き用の充電端子１３０は、図５等に示すように、筐体１２０の長手側面の長手方向中央に配置されている。
横置き用の充電端子１３０は、図１等に示すように、横置き状態で携帯端末機１００を充電器２００に設置した際に、充電器２００の充電コネクタ２２０に接触する外部露出型の端子として構成されている。
【００１９】
縦置き用の充電端子１４０は、図６に示すように、筐体１２０の短手側面の短手方向中央に配置されている。
縦置き用の充電端子１４０は、図２等に示すように、縦置き状態で携帯端末機１００を充電器２００に設置した際に、充電器２００の充電コネクタ２２０に接触する外部露出型の端子として構成されている。
【００２０】
横置き用の充電端子１３０および縦置き用の充電端子１４０は、図１、図２、図５および図６等に示すように、共通の充電コネクタ２２０に接触するように同一に構成されている。
【００２１】
横置き用の充電端子１３０と縦置き用の充電端子１４０は、図５および図６に示すように、７つのピン１３１〜１３７、１４１〜１４７をそれぞれ有している。
１番ピン１３１、１４１は、充電電源供給用ピン（＋側）として設定され、７番ピン１３７、１４７は、充電電源供給用ピン（−側、ＧＮＤ側）として設定されている。
充電端子１３０の２番ピン１３２と６番ピン１３６は短絡されているとともに、充電端子１４０の２番ピン１４２と６番ピン１４６は短絡されている。
充電器２００に対して携帯端末機１００が載置された場合、２番ピン１３２、１４２により信号が充電器２００から入力され、この入力された信号が６番ピン１３６、１４６から出力され、そして、この出力された信号を充電器２００が検知することにより、充電器２００側が充電器２００に対する携帯端末機１００の載置を検知し、充電器２００が充電を開始するようになっている。
また、後述する集合充電器３００（図１１参照）に対して携帯端末機１００が設置された場合にも同様に、２番ピン１３２、１４２により信号が集合充電器３００から入力され、この入力された信号が６番ピン１３６、１４６から出力され、そして、この出力された信号を集合充電器３００が検知することにより、集合充電器３００側が集合充電器３００に対する携帯端末機１００の載置を検知し、集合充電器３００が充電を開始するようになっている。
３番ピン１３３、１４３と５番ピン１３５、１４５は、未使用のピンである。
４番ピン１３４、１４４は、携帯端末機１００側が充電器２００に対する携帯端末機１００の載置を検知するために設けられたピンである。
携帯端末機１００の制御部１９０の検知部１９１は、充電コネクタ２２０の４番ピン２２４との接触による４番ピン１３４、１４４の電位の変化を検出することにより、充電器２００に対する携帯端末機１００の載置を検知するようになっている。
本実施例では、携帯端末機１００が載置されると＋５Ｖにプルアップされていた４番ピン１３４、もしくは１４４が、充電コネクタ２２０の４番ピン２２４と接触することによってＧＮＤレベルに落ちる。
また、後述する集合充電器３００に対して携帯端末機１００が設置された場合にも同様に、制御部１９０の検知部１９１は、集合充電器３００の充電コネクタ（図示しない）の４番ピン（図示しない）との接触による４番ピン１３４、１４４の電位の変化を検出することにより、集合充電器３００に対する携帯端末機１００の設置を検知するようになっている。
そして、制御部１９０の検知部１９１は、４番ピン１３４または４番ピン１４４のいずれの電位が変位したかを検知し、携帯端末機１００の充電姿勢が縦置き状態または横置き状態のいずれであるかを判断するようになっている。
【００２２】
なお、充電端子１３０、１４０のピン１３１、１３７、１４１、１４７と充電回路との間にリレー等の開閉可能な接点を設け、通常状態で開状態とし、携帯端末機１００が充電器２００に対して載置されたことを検知して、検知した側の接点のみを閉状態として、充電するように携帯端末機１００の制御部１９０で制御するように構成しても何ら構わない。
【００２３】
二次電池１５０は、図４に示すように、筐体１２０の内部に収容され、横置き用の充電端子１３０を配置した長手側面および縦置き用の充電端子１４０を配置した短手側面の交線付近に配置されている。
二次電池１５０は、充電器２００の充電コネクタ２２０に接触する横置き用の充電端子１３０または縦置き用の充電端子１４０を通して充電されるようになっている。
なお、二次電池１５０は、筐体１２０内に収容される各部品の中で最も重量が重い。
【００２４】
電源スイッチ１６０は、図１および図３に示すように、縦置き用の充電端子１４０を配置した短手側面とは反対側に位置する短手側面に配置されている。
電源スイッチ１６０は、図１および図３に示すように、筐体１２０の前面側または背面側から筐体１２０を見た場合に、二次電池１５０を配置した前記交線の対角位置の付近に配置されている。
電源スイッチ１６０は、使用者による携帯端末機１００の電源オンオフの操作を受け付けるようになっている。
【００２５】
発光部１７０は、ＬＥＤで構成され、図１乃至図３に示すように、縦置き用の充電端子１４０を配置した短手側面とは反対側に位置する短手側面の短手方向中央付近に配置されている。
発光部１７０は、携帯端末機１００の状態を外部に通知するものであり、本実施例では、携帯端末機１００が充電中であるか否かを外部に通知するようにもなっている。
【００２６】
記憶媒体挿入口１８０は、図３に示すように、横置き用の充電端子１３０を配置した長手側面とは反対側に位置する長手側面の長手方向中央付近に配置されている。
記憶媒体挿入口１８０は、フラッシュメモリ等の外部記憶媒体を挿入させる開口部である。
【００２７】
制御部１９０は、図７に示すように、充電器２００に対する携帯端末機１００の設置の向きを検知する検知部１９１と、充電器２００に対する携帯端末機１００の設置の向きに応じて、ディスプレイパネル１１０の表示内容を設定する表示設定部１９２とを少なくとも備えている。
検知部１９１は、充電コネクタ２２０の４番ピン２２４との接触による４番ピン１３４、１４４の電位の変化を検出することにより、充電器２００に対する携帯端末機１００の載置を検知するとともに、４番ピン１３４または４番ピン１４４のいずれの電位が変位したかを検知し、携帯端末機１００の充電姿勢が縦置き状態または横置き状態のいずれであるかを判断するようになっている。
表示設定部１９２は、検知部１９１による携帯端末機１００の充電姿勢に関する判断結果を基に、ディスプレイパネル１１０による表示内容と携帯端末機１００の充電姿勢が合致しない場合、ディスプレイパネル１１０による表示内容と携帯端末機１００の充電姿勢とを合致させるように、ディスプレイパネル１１０による表示内容を回転させるようになっている。
なお、当然ながら、ディスプレイパネル１１０による表示内容と携帯端末機１００の充電姿勢が合致している場合は、表示内容を回転させることはしない。
また、表示設定部１９２は、表示内容を回転させるのではなく、制御部１９０に予め縦置き用画面表示と横置き用画面表示を記憶しておき、ディスプレイパネル１１０による表示内容と携帯端末機１００の充電姿勢とを合致させるように、縦置き用画面表示と横置き用画面表示のいずれかを選択して切り換えるものであってもよい。
なお、当然ながら、ディスプレイパネル１１０による表示内容と携帯端末機１００の充電姿勢が合致している場合は、この場合も画面表示を切り換えることはしない。
なお、本発明と関連性の薄いＯＳ等の他のソフトウェアに関しては、記載を省略する。
【００２８】
次に、充電器２００について、図８乃至図１０に基づいて以下に説明する。
【００２９】
充電器（充電台、クレードル）２００は、図８乃至図１０に示すように、台座部２１０と、充電コネクタ２２０と、背面支持部２３０と、前面支持部２４０と、電源スイッチ２５０とを備えている。
【００３０】
台座部２１０は、図８に示すように、設置面上に設置され、充電器２００の各部を支持している。
【００３１】
充電コネクタ２２０は、図９に示すように、台座部２１０の上面に配置されている。
充電コネクタ２２０は、充電器２００の幅方向（図９における左右方向）の中央に配置されている。
充電コネクタ２２０は、図９に示すように、７つのピン２２１〜２２７を有している。
これら７つのピン２２１〜２２７は、横置き用の充電端子１３０および縦置き用の充電端子１４０の７つのピン１３１〜１３７、１４１〜１４７の各機能に対応してそれぞれ設定されている。
【００３２】
背面支持部２３０は、図８等に示すように、台座部２１０の上面から上方に向けて突出形成され、充電器２００に対する携帯端末機１００の設置時に、携帯端末機１００の背面に接して支持するようになっている。
背面支持部２３０は、図２に示すように、携帯端末機１００が充電器２００に対して縦置き状態で設置された場合であっても、携帯端末機１００を支持するのに充分な鉛直方向における寸法を有している。
背面支持部２３０は、図８等に示すように、背面支持部２３０の前面に突出形成され、携帯端末機１００を充電器２００に設置する際に、携帯端末機１００の被ガイド部１２２、１２３をガイドする一対のガイド部２３１を有している。
背面支持部２３０は、図１、図２、および、図８等に示すように、携帯端末機１００の上部を後方側に僅かに傾けた状態で携帯端末機１００を支持している。
【００３３】
前面支持部２４０は、図８および図９に示すように、台座部２１０の上面から上方に向けて突出形成され、充電器２００に対する携帯端末機１００の設置時に、携帯端末機１００を支持している。
前面支持部２４０は、図８および図９に示すように、前面支持部２４０の背面から後方側に向けて突出形成され、充電器２００に対する携帯端末機１００の設置時に、携帯端末機１００の前面に接して支持する押さえ部２４１を有している。
【００３４】
電源スイッチ２５０は、図１０に示すように、台座部２１０の背面に配置されている。
電源スイッチ２５０は、使用者による充電器２００の電源オンオフの操作を受け付けるようになっている。
【００３５】
次に、集合充電器３００について、図１１に基づいて以下に説明する。
【００３６】
集合充電器３００は、図１１に示すように、複数の携帯端末機１００を収容して、複数の携帯端末機１００の充電を一度に纏めて行うものである。
集合充電器３００は、図１１に示すように、上下４段および左右２列で配置され、携帯端末機１００を個別に収容する８つの収容部３１０と、収容部３１０ごとに収容部３１０の奥側に配置され、携帯端末機１００の縦置き用の充電端子１４０に接触する８つの充電コネクタ（図示しない）とを備えている。
集合充電器３００に携帯端末機１００を設置する場合、縦置き用の充電端子１４０を配置した短手側面を先頭にして、収容部３１０に携帯端末機１００を挿入する。
【００３７】
集合充電器３００の充電コネクタ（図示しない）は、７つのピン（図示しない）を有している。
これら７つのピン（図示しない）は、横置き用の充電端子１３０および縦置き用の充電端子１４０の７つのピン１３１〜１３７、１４１〜１４７の各機能に対応してそれぞれ設定されている。
【００３８】
このようにして得られた本発明は、筐体１２０の長手側面および短手側面に充電端子１３０、１４０をそれぞれ配置していることにより、充電コネクタ２２０を長手側面の充電端子１３０に接触させた横置き状態と、充電コネクタ２２０を短手側面側の充電端子１４０に接触させた縦置き状態の２つの充電姿勢を実現するため、確保可能な設置スペースやディスプレイパネル１１０の表示内容に応じて、縦置き状態と横置き状態を任意に選択することができる。
また、本実施例の携帯端末機１００は例えば飲食店の客席テーブル上に配置されるセルフオーダ端末であり、この場合、例えば、客席テーブルの大きさや、客席テーブル上の状態（客席テーブル上の食器の量等）等に応じて、設置者または顧客が任意に横置きまたは縦置きの充電姿勢を選択することに対する要望が強く、そのため、前述した充電姿勢の選択が可能であるという効果がより一層顕著になる。
【００３９】
また、本発明の携帯端末機１００では、充電端子１３０、１４０の形態として、充電器２００に対する携帯端末機１００の設置により充電器２００の充電コネクタ２２０に接触する外部露出型を採用していることにより、充電器２００に対して携帯端末機１００を設置するだけで充電コネクタ２２０と充電端子１３０、１４０との接触を確保することが可能であるため、携帯端末機１００の充電端子１３０、１４０に対して充電器２００の充電コネクタ２２０を差し込む等の煩わしい作業を必要とせず、充電器２００に対する設置作業を簡便に達成できる。
また、本実施例の携帯端末機１００は例えば飲食店の客席テーブル上に配置されるセルフオーダ端末であり、この場合、個人で所有することが一般的である携帯電話機等とは異なり、顧客が携帯端末機１００の使用に関して不慣れな場合が多く、そのため、前述した充電器２００に対して携帯端末機１００を設置するだけで充電コネクタ２２０と充電端子１３０、１４０との接触を確保することができるという効果がより一層顕著になる。
【００４０】
また、充電端子１３０を配置した長手側面および充電端子１４０を配置した短手側面の交線付近に重量の重い二次電池１５０を配置していることにより、携帯端末機１００の充電姿勢として横置きまたは縦置きのいずれを選択した場合であっても、携帯端末機１００の重心を低く維持することが可能であるため、携帯端末機１００を充電器２００に設置した状態での携帯端末機１００の安定性を向上できる。
また、本実施例の携帯端末機１００は充電器２００に設置した状態においても顧客の入力操作をタッチパネル（ディスプレイパネル１１０）により受け付けるセルフオーダ端末であり、この場合、充電時における携帯端末機１００の安定性に対する要望が強く、そのため、前述した充電時における携帯端末機１００の安定性の向上の効果がより一層顕著になる。
【００４１】
また、電源スイッチ１６０、発光部１７０、および、記憶媒体挿入口１８０が、携帯端末機１００の充電姿勢として横置きまたは縦置きのいずれを選択した場合であっても、鉛直方向の上方寄りに位置するように配置されているため、使用者による上記各部の位置認識が容易になり、操作性が向上する。
【００４２】
また、携帯端末機１００は充電器２００のガイド部２３１によりガイドされる一対の横置き用の被ガイド部１２２および一対の縦置き用の被ガイド部１２３を有していることにより、携帯端末機１００の充電姿勢として横置きまたは縦置きのいずれを選択する場合であっても、携帯端末機１００が鉛直方向にガイドされるため、充電コネクタ２２０と充電端子１３０、１４０とが自動的に位置合わせされ、充電コネクタ２２０と充電端子１３０、１４０との間の確実な接触を実現でき、また、使用者が充電コネクタ２２０と充電端子１３０、１４０との間の位置合わせを意識する必要がないため、操作性がより一層向上する。
【００４３】
また、横置き用の充電端子１３０が長手側面の長手方向中央に配置され、縦置き用の充電端子１４０が短手側面の短手方向中央に配置されていることにより、携帯端末機１００を充電器２００に設置した状態での携帯端末機１００の安定性を向上できる。
【００４４】
また、携帯端末機１００は横置き用の充電端子１３０に加えて縦置き用の充電端子１４０を備えていることにより、複数の携帯端末機１００を収容する集合充電器３００に対して携帯端末機１００を設置する場合にも、携帯端末機１００の短手方向を集合充電器３００の幅方向（横方向、図１１における略左右方向）に一致させた状態で、集合充電器３００に対して携帯端末機１００を収容することが可能であるため、集合充電器３００の幅方向における占有面積を低減できる。
【００４５】
また、制御部１９０が検知部１９１と表示設定部１９２とを有していることにより、ディスプレイパネル１１０による表示内容と携帯端末機１００の充電姿勢とを自動的に合致させることが可能であるため、携帯端末機１００の使い勝手をより一層向上させることができる。
【符号の説明】
【００４６】
１００  ・・・  携帯端末機
１１０  ・・・  ディスプレイパネル
１２０  ・・・  筐体
１２１  ・・・  フレーム部
１２２  ・・・  横置き用の被ガイド部
１２３  ・・・  縦置き用の被ガイド部
１３０  ・・・  横置き用の充電端子
１４０  ・・・  縦置き用の充電端子
１５０  ・・・  二次電池
１６０  ・・・  電源スイッチ
１７０  ・・・  発光部
１８０  ・・・  記憶媒体挿入口
１９０  ・・・  制御部
１９１  ・・・  検知部
１９２  ・・・  表示設定部
２００  ・・・  充電器
２１０  ・・・  台座部
２２０  ・・・  充電コネクタ
２３０  ・・・  背面支持部
２３１  ・・・  ガイド部
２４０  ・・・  前面支持部
２４１  ・・・  押さえ部
２５０  ・・・  電源スイッチ
３００  ・・・  集合充電器
３１０  ・・・  収容部
【図１】
0005451554.tif 000002
【図２】
0005451554.tif 000003
【図３】
0005451554.tif 000004
【図４】
0005451554.tif 000005
【図５】
0005451554.tif 000006
【図６】
0005451554.tif 000007
【図７】
0005451554.tif 000008
【図８】
0005451554.tif 000009
【図９】
0005451554.tif 000010
【図１０】
0005451554.tif 000011
【図１１】
0005451554.tif 000012
【図１２】
0005451554.tif 000013